(57)【特許請求の範囲】
【請求項１】
スイッチ部と発光部を有する電気回路部と、
前記スイッチ部を作動させる操作部と、
前記操作部を変位可能に保持する弾性部材と、を有し、
前記弾性部材は、前記操作部の裏面から前記スイッチ部側に延び、側方に拡大する形状を有し、
前記操作部は、平面部と、当該平面部に隣接する複数の側面部を有し、前記平面部は前記電気回路部が配置される本体部の上面部の一部をなすように面一に構成されており、前記側面部は前記本体部の側壁部の一部をなすように前記本体部の側壁部から上面部に向かって連続する傾斜面を有し、
前記本体部には、前記本体部に配置される電気回路部をシールするように前記弾性部材を取り付けるための取付部と、前記取付部を内部から外部に連通する連通孔とが設けられていることを特徴とするスイッチ機能付きインジケータ。
【請求項２】
前記弾性部材は、前記操作部の裏面から前記スイッチ部側に延び、側方に拡大するフランジ部を有し、
前記フランジ部は、前記操作部と前記電気回路部の間に位置するように前記取付部に固定部材を介して固定され、前記操作部からフランジ部に達した液体が前記フランジ部から前記連通孔を通じて外部に排出されるように構成されていることを特徴とする請求項１に記載のスイッチ機能付きインジケータ。
【請求項３】
前記フランジ部は、前記操作部が操作されていない状態で、前記操作部を前記スイッチ部とは反対方向に付勢するような弾性力を付与することを特徴とする請求項２に記載のスイッチ機能付きインジケータ。
【請求項４】
前記操作部は、前記スイッチ部側に延びるスイッチ操作部を有し、前記弾性部材は、前記スイッチ操作部が挿入されて前記スイッチ部に当接するスイッチ当接部を有し、
前記操作部が押し込まれたときに、前記フランジ部の弾性力に抗して前記スイッチ操作部が前記スイッチ当接部を介して前記スイッチ部を作動させることを特徴とする請求項３に記載のスイッチ機能付きインジケータ。
【請求項５】
前記操作部および前記弾性部材は、半透明の材料により形成されていることを特徴とする請求項１ないし４のいずれか１項に記載のスイッチ機能付きインジケータ。
【請求項６】
前記スイッチ部は、人体の生体情報を測定し表示する装置のインジケータに設けられ、警報音を一時停止するスイッチであることを特徴とする請求項１ないし５のいずれか１項に記載のスイッチ機能付きインジケータ。
【請求項７】
前記スイッチ部は、前記インジケータは点灯されたままで警報音を一時停止するスイッチであることを特徴とする請求項６に記載のスイッチ機能付きインジケータ。
【発明の詳細な説明】
【技術分野】
【０００１】
本発明は、スイッチ機能付きインジケータの防水構造に関する。
【背景技術】
【０００２】
従来、患者のベッドサイドなどに置かれる生体情報モニタなどの医療機器には、患者の心拍や血圧などの生体情報や機器の動作状態を報知するためのインジケータが設けられている。ここで、インジケータの発光を停止するスイッチがインジケータとは異なる位置にある場合、ユーザはインジケータの発光により状況を認知した後、インジケータの発光を停止するスイッチがどこにあるかわからず、操作に手間がかかることも想定される。そこで、インジケータに、インジケータの発光を停止するための押しボタン式のスイッチ機能を付加したものがある（例えば、特許文献１）。
【先行技術文献】
【特許文献】
【０００３】
【特許文献１】特開２００７−２１５５８１号公報
【発明の概要】
【発明が解決しようとする課題】
【０００４】
しかしながら、インジケータに発光停止用のスイッチ機能を付加すると、インジケータは操作キーがシート部材によりカバーされたメンブレンスイッチのような防水構造を有していないため、操作キーが可動して本体部との間に隙間ができることにより防水性能が問題となる。このような防水性能に関して、医療機器の中でも特に生体情報モニタなどでは、手術室や病室で使用されることもあるため、洗浄液を使用して付着した血液などを取り除くために清掃作業を行う際に注意を要する。
【０００５】
さらに、医療機器に使用されるインジケータは、ユーザがすぐに気が付くように操作面（発光面）をできるだけ広くし、広い範囲を発光させたいという要求がある一方、アラームに気付いた後は直感的な操作でアラームを停止したいという要求もある。このような要求を満たすためには、インジケータにアラーム停止用のスイッチ機能を付加することが好ましいが、操作キーを大きくすると操作時の動きも複雑になるため、従来の防水性能では不十分な場合もある。
【０００６】
本発明は、上述した課題に鑑みなされ、その目的は、防水性能を高めると共に、たとえ液体が浸入した場合であっても電気部品に達する前に確実に排出することができる構造を実現することである。
【課題を解決するための手段】
【０００７】
上記課題を解決し、目的を達成するために、本発明のスイッチ機能付きインジケータは、スイッチ部と発光部を有する電気回路部と、前記スイッチ部を作動させる操作部と、前記操作部を変位可能に保持する弾性部材と、を有し、前記弾性部材は、前記操作部の裏面から前記スイッチ部側に延び、側方に拡大する形状を有し、前記操作部は、平面部と、当該平面部に隣接する複数の側面部を有し、前記平面部は前記電気回路部が配置される本体部の上面部の一部をなすように面一に構成されており、前記側面部は前記本体部の側壁部の一部をなすように前記本体部の側壁部から上面部に向かって連続する傾斜面を有し、前記本体部には、前記本体部に配置される電気回路部をシールするように前記弾性部材を取り付けるための取付部と、前記取付部を内部から外部に連通する連通孔とが設けられている。
【発明の効果】
【０００８】
本発明によれば、防水性能を高めると共に、たとえ液体が浸入した場合であっても電気部品に達する前に確実に排出することができるような構造を実現することができる。
【図面の簡単な説明】
【０００９】
【図１】本発明に係る実施形態の生体情報モニタの外観斜視図である。
【図２】本発明に係る実施形態の生体情報モニタの本体部とベース部の外観斜視図である。
【図３】本実施形態の生体情報モニタにおけるスイッチ機能付きインジケータの分解斜視図である。
【図４】本実施形態の生体情報モニタにおけるスイッチ機能付きインジケータを図３とは反対方向から見た分解斜視図およびインジケータの取付部を示す斜視図である。
【図５】本実施形態の生体情報モニタにおけるスイッチ機能付きインジケータの断面図である。
【図６】本実施形態のスイッチ機能付きインジケータにおける操作キーの外観図である。
【発明を実施するための形態】
【００１０】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１１】
図１は本発明に係る実施形態の生体情報モニタの外観斜視図である。図２は本発明に係る実施形態の生体情報モニタの本体部とベース部の外観斜視図である。
【００１２】
図１および図２に示すように、本実施形態の生体情報モニタ１は、病室や手術室で患者の心拍や血圧などの生体情報を測定し表示する、所謂ベッドサイドモニタ（以下、モニタ装置と略称する）である。モニタ装置１は、表示部１１や外部入力端子群１２、操作スイッチ群１３を有する本体部２と、本体部２と機械的および電気的に接続可能なベース部３とを備える。本体部２の筐体内部には、制御モジュールや測定モジュールなどの複数の回路基板やバッテリが収納されている。表示部１１はタッチパネル式の液晶表示パネルなどである。外部入力端子群１２は、カフなどの測定部を接続するための各種コネクタを含む。
【００１３】
本実施形態では、本体部２は、患者の心拍や血圧を測定する測定モジュールを含む測定表示ユニットである。また、本体部２は、メモリカードなどの記録媒体を接続するためのメモリカードスロットなどを含む。また、ベース部３は、本体部２に電力を供給する電源ユニットであり、外部機器などを接続するための各種コネクタなどを含む。
【００１４】
本体部２とベース部３は、取り付けおよび取り外しが可能である。本体部２とベース部３にはそれぞれ、互いに装着された状態で電気的に接続される接続部１４、１５が設けられている。なお、本体部２のバッテリは、ベース部３から取り外された状態でも本体部２が単体で動作可能なように搭載されている。また、本体部２の上面部には、本体部２単体やベース部３に装着された本体部２を把持するハンドル部１７が設けられている。
【００１５】
＜インジケータの防水構造および支持構造＞次に、本実施形態のスイッチ機能付きインジケータの構成および機能について説明する。
【００１６】
図３は本実施形態の生体情報モニタにおけるスイッチ機能付きインジケータの分解斜視図である。図４は本実施形態の生体情報モニタにおけるスイッチ機能付きインジケータを図３とは反対方向から見た分解斜視図およびインジケータの取付部を示す斜視図である。図５は本実施形態の生体情報モニタにおけるスイッチ機能付きインジケータの断面図である。図６は本実施形態のスイッチ機能付きインジケータにおける操作キーの外観図である。
【００１７】
まず、本実施形態のスイッチ機能付きインジケータの防水構造について説明する。
【００１８】
本実施形態のモニタ装置１の本体部２における表示部１１や操作スイッチ類１３が設けられた筐体２Ａには、患者の心拍や血圧などの生体情報や機器の動作状態を報知するためのインジケータ５０が外部に露出して設けられている。なお、インジケータ５０の発光時にはアラーム音も同時に発出される。インジケータ５０は、光の色や音質、音量、点灯、点滅、点滅間隔などを変えることで患者の容体や機器の動作状態を報知する。そして、インジケータ５０には、発光は継続されたままでアラーム音だけを一時停止させるためのスイッチ機能が付加されている。なお、このアラーム音を一時停止する時間はユーザにより任意に設定可能である。
【００１９】
インジケータ５０は、例えば、スイッチ部５１と発光部５２などの電気部品が実装された回路基板５３と、スイッチ部５１をオン位置またはオフ位置に作動させる操作キー５４と、操作キー５４と回路基板５３の間に設けられた防水用の弾性部材５５と、弾性部材５５を本体部２の取付部２４に固定するための固定部材５６とを有し、これらが本体部２における上面部の角部に設けられた凹形状の取付部２４に取り付けられる。スイッチ部５１は、例えば、押圧式の上下方向に変位するスイッチであり、発光部５２は、例えば、ＬＥＤ素子である。発光部５２は、発光時の明るさを均一化するために、回路基板５３上にスイッチ部５１を挟むように２個設けられている。
【００２０】
操作キー５４は、上下方向だけでなく、横方向や斜め方向など、少なくとも３面方向（後述する平面部５４ｂおよび２つの側面部５４ｃ）からの押し込み動作をスイッチ部５１に伝達できるように構成されている。操作キー５４は、例えば、発光部５２の光を透過可能な半透明のポリカーボネイトなどの樹脂材料により構成されている。また、弾性部材５５は、例えば、発光部の光を透過可能な半透明のシリコンゴムにより構成されている。また、固定部材５６は、弾性部材５５の周囲を取り囲むように中空の矩形状に形成されたステンレスなどの防錆性を有する金属プレートからなる。
【００２１】
操作キー５４は、平面部５４ｂと、当該平面部５４ｂに隣接する複数の側面部５４ｃおよび曲面部５４ｄを有し、平面部５４ｂは本体部２の上面部とほぼ面一に構成され、側面部５４ｃおよび曲面部５４ｄに向けて斜め下方に傾斜しており、側面部５４ｃおよび曲面部５４ｄは、本体部２の側壁部の一部をなすように本体部２の側壁部から上面部に向かって連続するテーパ状の傾斜面を有している。これにより、操作キー５４の平面部５４ｂから側面部５４ｃおよび曲面部５４ｄに沿って液体が流れやすくなるため、液体が取付部２４の外側縁部２４ｂと操作キー５４の側面部５４ｃや曲面部５４ｄの下縁部との隙間に浸入しにくい構造となる。
【００２２】
弾性部材５５は、操作キー５４の裏面（操作面と反対側）に装着される平面部５５ａと、操作キー５４の裏面の中央部付近から下方に延びる円柱状のスイッチ操作部５４ａが挿入されるさや状のスイッチ当接部５５ｂと、操作キー５４とほぼ同じ外形を有するフランジ部５５ｃを備える。平面部５５ａの肉厚は、スイッチ当接部５５ｂやフランジ部５５ｃに比べて肉厚が大きくなっている。スイッチ当接部５５ｂの下端部はスイッチ部５１に当接し、スイッチ操作部５４ａが下方に変位することでスイッチ部５１をオンするような長さを有する。フランジ部５５ｃは、平面部５５ａの裏面から下方に延び、操作キー５４の外形とほぼ同じ外形となるように側方に拡大している。フランジ部５５ｃは、固定部材５６により取付部２４の段差部２４ａに密着したシール状態でビス２５などで固定される。これにより、取付部２４の段差部２４ａより下方に配置されている回路基板５３への液体の浸入を防止する。
【００２３】
また、取付部２４には内部から外部に連通する連通孔２６が形成されており、操作キー５４と取付部２４の周囲の側壁部などの隙間から弾性部材５５のフランジ部５５ｃに達した液体は、フランジ部５５ｃから連通孔２６を介して外部に排出されるように構成されている。
【００２４】
また、弾性部材５５は、平面部５５ａの裏面からフランジ部５５ｃに延びるスカート状の連結部分５５ｄが拡径方向に傾斜した形状を有しており、連結部分５５ｄとスイッチ当接部５５ｂの弾性力とスイッチ部５１の復元力により操作キー５４をスイッチ部５１とは反対側（図中上方）に常時付勢している。これにより、操作キー５４は、図中下方のスイッチ部５１側に押し込まれると弾性部材５５の上記弾性力に抗してスイッチ部５１側に変位可能であると共に、操作キー５４を押し込む外力が作用しなくなると、弾性部材５５の上記弾性力によりスイッチ部５１とは反対側に押し上げられ元の状態に戻る。
【００２５】
以上のように、本実施形態によれば、スイッチ機能付きインジケータにおいて、操作キー５４の操作面や可動範囲を広くしても防水性能を低下させず、たとえ液体が浸入した場合でもスイッチ部５１や発光部５２などの電気部品が実装された回路基板５３に達する前に確実に排出することができるような構造を実現することができる。
【００２６】
次に、本実施形態のスイッチ機能付きインジケータの支持構造について説明する。
【００２７】
操作キー５４には、その曲面部５４ｄとは対角方向の角部に、操作キー５４の外形より外側に突出する突出部５４ｅが設けられている。突出部５４ｅは、操作キー５４の下端部から延び、所定の幅および厚みを有するＵ字状の外形を有している。そして、操作キー５４は、突出部５４ｅが取付部２４の対応する部位に形成されたスリット孔２４ｂに所定の隙間を持って挿入されることで、取付部２４に片持ち支持される。
【００２８】
これにより、操作キー５４は、その平面部５４ｂや側面部５４ｃや曲面部５４ｄのいずれの面が押し込まれたとしても、上記突出部５４ｅを支点として揺動するので、操作キー５４の押し込み動作を確実にスイッチ部５１に伝達できる。また、従来のように、インジケータの発光範囲内に軸などの構造物を配置する必要がないので、操作キー５４の可動方向が限定されず、インジケータの発光範囲を狭めたり、発光ムラを発生させることもなくなる。
【００２９】
なお、本発明のスイッチ機能付きインジケータは、上述した実施形態の生体情報モニタなどの医療機器に限らず、他の様々な装置に適用可能である。
【符号の説明】
【００３０】
１…生体情報モニタ、２…本体部、３…ベース部、５０…スイッチ機能付きインジケータ、５１…スイッチ部、５２…発光部、５３…回路基板、５４…操作キー
【図１】
0006564296.tif 000002
【図２】
0006564296.tif 000003
【図３】
0006564296.tif 000004
【図４】
0006564296.tif 000005
【図５】
0006564296.tif 000006
【図６】
0006564296.tif 000007